(57)【特許請求の範囲】
【請求項１】
フレームの左右に側板が取り付いて構成されるリール本体の両側板間に、スプール軸を介してスプールを回動可能に支持し、
リール本体の上部に、実釣時の状況を計測する計測装置の表示器を備えた魚釣用リールに於て、
上記スプール軸に沿ってフレームの上部に、上記表示器の外形形状に沿った取付孔が開口する薄肉な支柱を設け、当該取付孔内に上記表示器を装着し、
上記計測装置を構成する電子部品を実装した回路基板を一方の側板内に装着して、
当該回路基板と上記表示器を、一方の側板と上記支柱とに離間配置すると共に、
上記フレームにガイド孔を設け、
上記支柱に、当該ガイド孔と上記取付孔とに連通するガイド溝を設けて、
上記回路基板と表示器を、上記ガイド孔とガイド溝を通した導線で接続したことを特徴とする魚釣用リール。
【発明の詳細な説明】
【０００１】
【発明の属する技術分野】
本発明はリール全体の小型化を図って良好な握持性を確保し、併せて外観の向上を図った魚釣用リールに関する。
【０００２】
【従来の技術】
釣果の向上を図るため、近年、多くの魚釣用リールには、実釣時の状況を計測する計測装置として、回転数検出手段で検出したスプールの回転数を基に釣糸の繰出し量（糸長）を計測する糸長計測装置や、釣糸にかかる糸張力を計測する糸張力計測装置等が備えられており、これらの計測値は、特開平９−１２４号公報又は図６に示すようにリール本体１上部に装着したボックス形状からなる制御ユニット３上のデジタル表示器５や図示しないＬＣＤ表示器等に表示されるようになっている。
【０００３】
そして、図７に示すように上記制御ユニット３内に、計測装置を構成するＣＰＵやメモリ等の電子部品７を実装した回路基板９が、デジタル表示器５の液晶表示部５ａの下方に重合配置された構造となっている。
その他、図中、５ｂは上記液晶表示部５ａを覆って制御ユニット３に装着された保護パネル、１１は回路基板９に実装されたボタン電池で、当該ボタン電池１１によってデジタル表示器５や電子部品７等が作動するようになっている。
【０００４】
【発明が解決しようとする課題】
然し乍ら、斯様に電子部品７を実装した回路基板９をデジタル表示器５と重合させて制御ユニット３内に装着すると、リール本体１上部に設ける制御ユニット３の厚みが厚くなり、この結果、リール本体１外周から制御ユニット３が大きく突出して見栄えが悪く、又、リール全体が径方向に大型化するため、実釣時にリール全体を握持し難いといった課題が残されていた。
【０００５】
そして、従来、斯かる課題に対する取組みは殆どなされていないのが実情であったが、昨今、この種の魚釣用リールにあっては、「軽く」，「小さく」，「薄く」というようにリール全体の小型化，軽量化が求められており、斯かる課題に対する対策が望まれている。
本発明は斯かる実情に鑑み案出されたもので、リール全体の小型化を図って良好な握持性を確保し、併せて外観の向上を図った魚釣用リールを提供することを目的とする。
【０００６】
【課題を解決するための手段】
斯かる目的を達成するため、請求項１に係る発明は、フレームの左右に側板が取り付いて構成されるリール本体の両側板間に、スプール軸を介してスプールを回動可能に支持し、リール本体の上部に、実釣時の状況を計測する計測装置の表示器を備えた魚釣用リールに於て、上記スプール軸に沿ってフレームの上部に、上記表示器の外形形状に沿った取付孔が開口する薄肉な支柱を設け、当該取付孔内に上記表示器を装着し、上記計測装置を構成する電子部品を実装した回路基板を一方の側板内に装着して、当該回路基板と上記表示器を、一方の側板と上記支柱とに離間配置すると共に、上記フレームにガイド孔を設け、上記支柱に、当該ガイド孔と上記取付孔とに連通するガイド溝を設けて、上記回路基板と表示器を、上記ガイド孔とガイド溝を通した導線で接続したことを特徴とする。
【０００７】
（作用）
請求項１に係る発明によれば、回路基板と表示器をリール本体上部の制御ユニットに重合配置した従来構造に代え、スプール軸に沿ってフレームの上部に、上記表示器の外形形状に沿った取付孔が開口する薄肉な支柱を設けて、当該取付孔内に上記表示器を装着し、回路基板を一方の側板内に装着して、当該回路基板と上記表示器を一方の側板と上記支柱とに離間配置すると共に、フレームにガイド孔を設け、支柱に当該ガイド孔と上記取付孔とに連通するガイド溝を設けて、回路基板と表示器をこのガイド孔とガイド溝を通した導線で接続したので、従来に比しリール本体を径方向に小型化でき、この結果、魚釣用リールの両側部を握持して釣りを行う場合、釣人は魚釣用リールを容易且つ確実に握持できることとなる。
【０００８】
【発明の実施の形態】
以下、本発明の実施形態を図面に基づき詳細に説明する。
【０００９】
図１乃至図５は請求項１の一実施形態に係る魚釣用リールを示し、図１に於て、１３，１５はフレーム１７の左右に取り付く側板で、当該側板１３，１５とフレーム１７によってリール本体１９が構成されており、両側板１３，１５間に、スプール軸２１を介してスプール２３が回転可能に支持されている。
【００１０】
そして、側板１５内に突出するスプール軸２１には、当該スプール軸２１に設けたクラッチ部２５に係脱可能なピニオンギヤ２７が相対回転可能且つその軸方向へスライド可能に取り付けられており、従来と同様、側板１５に装着したクラッチレバー２９を操作してクラッチ部２５とピニオンギヤ２７とのクラッチ係合をクラッチプレート３１で解除すると、スプール２３がスプールフリー状態となって、キャスティング動作で釣糸（図示せず）がスプール２３から繰り出されるようになっている。
【００１１】
又、図１中、３３は釣糸巻取り用のハンドルで、そのハンドル軸３５にはピニオンギヤ２７に噛合するドライブギヤ３７が相対回転可能に取り付けられている。そして、ドライブギヤ３７とハンドル軸３５は、従来周知のドラグ装置３９によって摩擦結合されており、ハンドル３３の回転力がドライブギヤ３７，ピニオンギヤ２７を介してスプール軸２１に伝達され、又、上述したようにクラッチレバー２９によるクラッチＯＦＦの操作でスプール２３へのハンドル３３の回転力が遮断されて、スプール２３がスプールフリー状態となるようになっている。そして、ドラグ力の調節は、ハンドル軸３５に装着したドラグノブ４１で行うようになっている。
【００１２】
而して、本実施形態に係る魚釣用リール４３も、実釣時の状況を計測する計測装置の一つとして釣糸の繰出し量を計測する糸長計測装置を備えているが、本実施形態は、図７の如くリール本体上部に設けた制御ユニットに回路基板とデジタル表示器を重合配置した従来構造に代え、図１乃至図３に示すように一方の側板１３の内壁に、糸長演算，糸長表示及びデータの書込み制御を行うＣＰＵやメモリ等を備えたマイクロコンピュータ４５やボタン電池４７を実装した回路基板４９を取り付けている。
【００１３】
そして、マイクロコンピュータ４５は、従来周知の糸長計測装置と同様、リール本体１９に装着した図示しない回転数検出手段で検出されたスプール２３の回転パルス信号に基づき釣糸の繰出し量を計測して、その計測値をデジタル表示器５１に表示するようになっているが、図１乃至図３に示すように本実施形態は、スプール軸２１に沿ってフレーム１７の上部の側板１３，１５間に、薄肉な支柱５３をリール本体１９の外形形状と面一に一体成形すると共に、当該支柱５３にデジタル表示器５１を装着して、回路基板４９とデジタル表示器５１が重合することなくこれらを一方の側板１３と、フレーム１７の上部に設けた薄肉な支柱５３とに離間配置したことを特徴とする。
【００１４】
図４及び図５はデジタル表示器５１の取付構造を示し、図示するように薄肉な支柱５３の略中央部には、デジタル表示器５１の外形形状に沿って矩形状の取付孔５５が設けられており、支柱５３の裏面側からデジタル表示器５１を取付孔５５内に挿入して、その外周に設けた段部５７を取付孔５５の内周に設けた段部５９に当接させると、デジタル表示器５１が支柱５３の表面と面一に装着されるようになっている。
【００１５】
そして、デジタル表示器５１と上記回路基板４９はテープ状の導線６１で接続されており、導線６１は、側板１３の内壁に設けたガイド部６３のガイド孔６５とフレーム１７に設けたガイド孔６７を挿通し、又、支柱５３の裏面側には当該導線６１を配線させるガイド溝６９が取付孔５５に連通して形成されている。そして、当該取付孔５５の下部開口部とガイド溝６９を覆ってカバー７１が支柱５３の裏面側に水密性をもって取り付けられており、当該カバー７１によって導線６１とデジタル表示器５１の抜止めが図られている。
【００１６】
その他、図１中、７３はデジタル表示器５１に隣接して支柱５３に装着されたリセットスイッチ、７５は従来周知のレベルワインダ機構で、従来と同様、上記リセットスイッチ７３はＯＮスイッチを兼ねており、当該リセットスイッチ７３の操作でマイクロコンピュータ４５やデジタル表示器５１，回転数検出手段等が起動すると共に、デジタル表示器５１に表示された糸長計測値がリセットスイッチ７３の操作で「０．０ｍ」にリセットされるようになっている。
【００１７】
又、図３中、７７はリール本体１９の外形形状に沿ってフレーム１７の下部に一体成形された断面円弧状のカバーで、当該カバー７７にリール脚７９が取り付けられている。
本実施形態に係る魚釣用リール４３はこのように構成されているから、魚釣用リール４３の両側部を握持してリセットスイッチ７３を操作すれば、マイクロコンピュータ４５やデジタル表示器５１等が起動する。そして、クラッチレバー２９の操作でクラッチをＯＦＦに切り換えれば、スプール２３はスプールフリー状態となってキャスティング動作で釣糸が繰り出され、スプール２３の回転は回転数検出手段で検出されてマイクロコンピュータ４５に入力，演算される。
【００１８】
そして、その演算結果に基づく釣糸繰出し量がデジタル表示器５１に表示されるので、釣人はその表示を見乍ら、所定の水深でクラッチレバー２９を操作してクラッチをＯＮに切り換えればよい。
【００１９】
この状態で魚の当たりを待ち、魚の当たりがあってハンドル３３を操作すれば、釣糸がスプール２３に巻き取られていくが、上述したように本実施形態は、マイクロコンピュータ等の電子部品を実装した回路基板とデジタル表示器をリール本体上部の制御ユニットに重合配置した従来構造に代え、スプール軸２１に沿ってフレーム１７の上部に、上記表示器５１の外形形状に沿った取付孔５５が開口する薄肉な支柱５３を設けて、当該取付孔５５内に表示器５１を装着し、回路基板４９を一方の側板１３内に装着して、当該回路基板４９と表示器５１を側板１３と支柱５３とに離間配置すると共に、フレーム１７にガイド孔６７を設け、支柱５３に当該ガイド孔６７と取付孔５５とに連通するガイド溝６９を設けて、回路基板４９と表示器５１をこのガイド孔６７とガイド溝６９を通した導線６１で接続したので、従来に比しリール本体１９を径方向に小型化でき、この結果、魚釣用リール４３の両側部を握持して釣りを行う場合、釣人は魚釣用リール４３を容易且つ確実に握持できることとなる。
【００２０】
このように本実施形態によれば、従来に比しリール本体１９を径方向に小型化できるため、リール全体の握持性が良好となって魚釣操作性が向上することとなった。
【００２１】
而も、本実施形態によれば、リール本体１９から外方へ突出する制御ユニットを設けず、リール本体１９上部に設けた薄肉な支柱５３にデジタル表示器５１を面一に配置したので、図７に示す従来例に比し外観が一段と向上すると共に、回路基板４９を制御ユニット以外の場所に配置することで、リール全体の設計，デザイン面での自由度が増すといった利点を有する。
【００２２】
【発明の効果】
以上述べたように、請求項１に係る発明は、スプール軸に沿ってフレームの上部に、表示器の外形形状に沿った取付孔が開口する薄肉な支柱を設けて、当該取付孔内に表示器を装着し、回路基板を一方の側板内に装着して、当該回路基板と表示器を側板と支柱とに離間配置すると共に、フレームにガイド孔を設け、支柱に当該ガイド孔と取付孔とに連通するガイド溝を設けて、回路基板と表示器をこのガイド孔とガイド溝を通した導線で接続したので、リール本体上部の表示部分が厚くなって大型化することがなくなり、リール全体の握持性及び外観が一段と向上すると共に、リール全体の設計，デザイン面での自由度が増すといった利点を有する。
【図面の簡単な説明】
【図１】  請求項１の一実施形態に係る魚釣用リールの要部切欠き平面図である。
【図２】  図１に示す魚釣用リールの要部切欠き背面図である。
【図３】  図２のIII−III線断面図である。
【図４】  回路基板とデジタル表示器の取付構造の拡大断面図である。
【図５】  デジタル表示器の取付構造の拡大断面図である。
【図６】  従来の魚釣用リールの平面図である。
【図７】  図６に示す魚釣用リールの要部切欠き背面図である。
【符号の説明】
１３，１５  側板
１７  フレーム
１９  リール本体
２１  スプール軸
２３  スプール
４３  魚釣用リール
４５  マイクロコンピュータ
４７  ボタン電池
４９  回路基板
５１  デジタル表示器
５３  支柱
６１  導線
７１  カバー
【図１】
0003903403.tif 000002
【図２】
0003903403.tif 000003
【図３】
0003903403.tif 000004
【図４】
0003903403.tif 000005
【図５】
0003903403.tif 000006
【図６】
0003903403.tif 000007
【図７】
0003903403.tif 000008